(57)【特許請求の範囲】
【請求項１】
（イ）筒状の支柱（１）の中空部に、上方に駆動用歯車（２）を固定したタ−ンテ−ブル（３）の回転軸（４）を回動可能に装着し、
（ロ）前記駆動用歯車（２）に噛み合う歯車（５）を主軸に装着したモ−タ（６）を前記支柱（１）に取付け、
（ハ）前記タ−ンテ−ブル（３）の上面に固定したブラケット（７）に、ソ−ラパネル（８）の裏面の中央部に固定した第一ブラケット（９）を回動可能に連結し、
（ニ）前記モ−タ（６）と反対側の前記支柱（１）の円弧状の表面に略逆Ｖ字状のガイドレ−ル（１０）を設置し、
（ホ）前記ガイドレ−ル（１０）に沿って移動する第一プレ−ト（１１）を水平に設置し、該第一プレ−ト（１１）の先端部（ａ）に、伸縮可能な角度調整ねじ棒（１２）の下端部を取付け立設し、該角度調整ねじ棒（１２）の上端部を、前記ソ−ラパネル（８）の裏面中央部の下方に固定した第二ブラケット（１３）に取付け、
（ヘ）前記タ−ンテ−ブル（３）の下面先端部に、前記第一プレ−ト（１１）が前記ガイドレ−ル（１０）の最下端に位置しているとき、先端部が少なくとも前記第一プレ−ト（１１）の位置まで達する第二プレ−ト（１４）を、該第二プレ−ト（１４）の裏面が前記第一プレ−ト（１１）の表面に当接するように設置している、
以上のことを特徴とする追尾型ソ−ラパネル稼動装置
【発明の詳細な説明】
【技術分野】
【０００１】
本発明は追尾型ソ−ラパネル稼動装置に関するものである。
【背景技術】
【０００２】
従来、追尾型太陽光発電システムのソ−ラパネル稼動装置については、各種構造のものがが開発され、実用化されている（例えば、特許文献１，２。）が、構造が複雑であり、それに伴って価格も高くなるという問題点があった。
【特許文献１】特開２００３−３２２４１８号公報
【特許文献２】特開平１１−３０７８０２号公報
【発明の開示】
【発明が解決しようとする課題】
【０００３】
この発明は、背景技術で記述した問題点を解消するためになされたもので、構造が簡単な追尾型ソ−ラパネル稼動装置の提供を目的とするものである。
【課題を解決するための手段】
【０００４】
この発明の追尾型ソ−ラパネル稼動装置は、筒状の支柱の中空部に、上方に駆動用歯車を固定したタ−ンテ−ブルの回転軸を回動可能に装着し、前記駆動用歯車に噛み合う歯車を主軸に装着したモ−タを前記支柱に取付け、前記タ−ンテ−ブルの上面に固定したブラケットに、ソ−ラパネルの裏面の中央部に固定した第一ブラケットを回動可能に連結し、前記モ−タと反対側の前記支柱の円弧状の表面に略逆Ｖ字状のガイドレ−ルを設置し、前記ガイドレ−ルに沿って移動する第一プレ−トを水平に設置し、該第一プレ−トの先端部に、伸縮可能な角度調整ねじ棒の下端部を取付け立設し、該角度調整ねじ棒の上端部を、前記ソ−ラパネルの裏面中央部の下方に固定した第二ブラケットに取付け、前記タ−ンテ−ブルの下面先端部に、前記第一プレ−トが前記ガイドレ−ルの最下端に位置しているとき、先端部が少なくとも前記第一プレ−トの位置まで達する第二プレ−トを、該第二プレ−トの裏面が前記第一プレ−トの表面に当接するように設置していることを特徴とするものである。
【発明の効果】
【０００５】
この発明は上述のように構成されているので、次のような効果を呈する。
（１）タ−ンテ−ブルが回転し、第２プレ−トによって第一プレ−トを押出すと、第一プレ−トはガイドレ−ルに沿って上下動し、それに連動して、角度調整ねじ棒も上下動し、ソ−ラパネルの裏面中央部の下方に固定した第二ブラケットを上下動させ、ソ−ラパネルを傾斜させることができる。
（２）角度調整ねじ棒は、伸縮が可能であるので、春分、夏至、秋分、冬至に合わせて、ソ−ラパネルに太陽光がほぼ直角に射し込むように、傾斜角度を適宜に調整することができる。
（３）ソ−ラパネルに太陽光がほぼ直角に射し込むように、ソ−ラパネルの傾斜角度を変えながら、ソ−ラパネルを回転させることができる。
（４）構造が簡単である。
【発明を実施するための最良の形態】
【０００６】
構造が簡単な追尾型ソ−ラパネル稼動装置の提供という目的を、リンク機構により、部品数を増やすことなく、実現できた。
【実施例】
【０００７】
この発明の実施の一例を図面を参照しながら説明する。図１に示すように、筒状の支柱１の中空部に、上方に駆動用歯車２を固定したタ−ンテ−ブル３の回転軸４を回動可能に装着している。
【０００８】
駆動用歯車２に噛み合う歯車５を主軸に装着したモ−タ６を、図１に示すように、支柱１に取付けている。したがって、モ−タ６を駆動させると、歯車５が回転し、歯車５に噛み合っている駆動用歯車２が回転し、タ−ンテ−ブル３を回転させることができるようになっている。なお、モ−タ６は、単相１００Ｗ程度のブレ−キ付きギヤモ−タが適用できる。
【０００９】
タ−ンテ−ブル３の上面に固定したブラケット７に、ソ−ラセルを配設したソ−ラパネル８の裏面の中央部に固定した第一ブラケット９を回動可能に連結している。したがって、ソ−ラパネル８は、図１において、矢印ａ１に示すように、上下に回動できるようになっている。
【００１０】
モ−タ６と反対側の支柱１の円弧状の表面に、図１〜図２に示すように、略逆Ｖ字状のガイドレ−ル１０を設置している。
図２（ａ）は、支柱１に設置しているガ−ドレ−ルの広がりを示す平面図で、図２（ｂ）は展開図である。なお、ｂ１は夏至日の出、ｂ２は春分・秋分日の出、ｂ３は冬至日の出、ｂ４は冬至日の入り、ｂ５は春分・秋分日の入り、ｂ６は夏至日の入りの各位置、Ｓは南を示し、ｂ１〜ｂ６は、ガイドレ−ル１０に沿って移動する第一プレ−ト１１の出発点と終点をそれぞれ示している。例えば、夏至では、第一プレ−ト１１は、ｂ１から出発し、ガイドレ−ル１０を登り、正午にＳに達し、正午を過ぎると下りｂ６で停止するようになっている。なお、図１において、１５は、コロで第１プレ−ト１１の基部に、ガイドレ−ル１０を挟むように取り付けている。
【００１１】
ガイドレ−ル１０に沿って移動する第一プレ−ト１１を水平に設置し、第一プレ−ト１１の先端部ａに、伸縮可能な角度調整ねじ棒１２の下端部を取付け立設し、角度調整ねじ棒１２の上端部を、ソ−ラパネル８の裏面中央部の下方に固定した第二ブラケット１３に取付けている。
【００１２】
伸縮可能な角度調整ねじ棒１２は、例えば、図示は省略したが、互いに逆ねじを刻設した２本のボルトを適宜長のナットに螺着し、ナットの回転方向によって、２本のボルトを接近又は離隔させることによって、図１において矢印ａ２に示すように、伸縮できるようになっている。
【００１３】
タ−ンテ−ブル３の下面先端部に、図１に示すように、第一プレ−ト１１がガイドレ−ル１０の最下端（図２（ａ）におけるｂ１の位置）に位置しているとき、先端部が少なくとも第一プレ−ト１１の位置まで達する第二プレ−ト１４を、第二プレ−ト１４の裏面が第一プレ−ト１１の表面に当接するように設置している。
【００１４】
したがって、モ−タ６を駆動し、タ−ンテ−ブル３が回転すると、第２プレ−ト１４によって第一プレ−ト１１が押出され、第一プレ−ト１１はガイドレ−ル１０に沿って上下動し、それに連動して、角度調整ねじ棒１２が上下動し、ソ−ラパネル８の裏面中央部の下方に固定した第二ブラケット１３を上下動させ、ソ−ラパネル８の傾斜角度を時々刻々と変化させることができるようになっている。
【００１５】
本願の追尾型ソ−ラパネル稼動装置を設置する際には、その地方の春分・秋分、夏至、冬至の日の出、日の入りの時間、太陽の軌道を確認しておき、例えば、その地方の夏至の日の出が午前５時で日の入りが午後７時の場合の例で説明すると、午前５時に、ソ−ラパネル８が東の方向を向き、かつ太陽光がソ−ラパネル８に直角に当たるように、角度調整ねじ棒１２を調整し、第一プレ−ト１１をガイドレ−ル１０の最下端（図２（ａ）におけるｂ１の位置）に静止させ、正午にガイドレ−ル１０のＳ点に達し、日の入りの午後７時で該装置の稼動が停止するように、タイマ−によって、モ−タ６の駆動を制御するようにしている。該装置の稼動が停止すると、図示は省略したセンサ−により、モ−タ６が元位置に復帰するようになっている。したがって、モ−タ６の復帰に連動して、第一プレ−ト１１も元位置（日の出の位置）に復帰する。
【００１６】
春分・秋分、夏至、冬至になると、それぞれ日の出、日の入り時間及び太陽の軌道が変わってくるので、例えば、春分・秋分、夏至、冬至の各１．５ヶ月前に、第一プレ−ト１１のガイドレ−ル１０における始点及び終点の位置を調整するとともに、例えば、図３に示すように、夏至、冬至、春分・秋分に応じて、ソ−ラパネル８の傾斜角度が変わるように、角度調整ねじ棒１２を調整するようにしている。図３の（ａ）は夏至、（ｂ）は冬至、（ｃ）は春分・秋分の一例で、点線はソ−ラパネル６が最大に傾いたときの状態を示す。
【００１７】
なお、これらの調整は、該装置を設置する地方の春分・秋分、夏至、冬至の日の出、日の入りの時間及び太陽の軌道等のデ−タを入力しているプログラムによって、例えば、春分・秋分、夏至、冬至の日の各１．５ヶ月前になると、自動的に調整できるようになっている。
【００１８】
本例では年４回の調整を行う場合について説明したが、これに限定されるものではなく、調整回数については、適宜に選択できる。
【産業上の利用可能性】
【００１９】
設置場所の春分・秋分、夏至、冬至の日の出、日の入りの時間、太陽の軌道のデ−タによってソ−ラパネルの回転角度や傾斜角度を簡単に調整できるので、一般家庭用の追尾型ソ−ラパネル稼動装置として利用できる。
【図面の簡単な説明】
【００２０】
【図１】本発明の一実施例を示す一部切欠側面図
【図２】ガイドレ−ルの説明図
【図３】ソ−ラパネルの夏至、冬至、春分・秋分時における傾きの一例を示す説明図
【符号の説明】
【００２１】
１ 支柱
２ 駆動用歯車
３ タ−ンテ−ブル
４ 回転軸
５ 歯車
６ モ−タ
７ ブラケット
８ ソ−ラパネル
９ 第一ブラケット
１０ ガイドレ−ル
１１ 第一プレ−ト
１２ 角度調整ねじ棒
１３ 第二ブラケット
１４ 第２プレ−ト
１５ コロ
ａ 第一プレ−トの先端部
ａ１，ａ２ 矢印
ｂ１ 夏至日の出の位置
ｂ２ 春分・秋分日の出の位置
ｂ３ 冬至日の出の位置
ｂ４ 冬至日の入りの位置
ｂ５ 春分・秋分日の入りの位置
ｂ６ 夏至日の入りの位置
Ｓ 南
【要約】
【課題】構造が簡単な追尾型ソ−ラパネル稼動装置の提供
【解決手段】この発明の追尾型ソ−ラパネル稼動装置は、筒状の支柱１の中空部に、駆動用歯車２を固定したタ−ンテ−ブル３の回転軸４を回動可能に装着し、駆動用歯車２に噛み合う歯車５を装着したモ−タ６を支柱１に取付け、タ−ンテ−ブル３の上面にソ−ラパネル８を回動可能に取付け、支柱１にガイドレ−ル１０を設置し、ガイドレ−ル１０に沿って移動する第一プレ−ト１１を水平に設置し、その先端部に伸縮可能な角度調整ねじ棒１２の下端部を取付け立設し、上端部を、ソ−ラパネル８の裏面中央部の下方に取付け、タ−ンテ−ブル３に、第一プレ−ト１１がガイドレ−ル１０の最下端に位置しているとき、先端部が少なくとも第一プレ−ト１１の位置まで達する第二プレ−ト１４を設置している。
【選択図】図１
【図１】
0003557204.tif 000002
【図２】
0003557204.tif 000003
【図３】
0003557204.tif 000004